(57)【要約】      （修正有）【課題】Ｗｅｂ情報に関連情報を挿入した型式で端末装置に返送できるＷｅｂ情報変換装置及び方法を提供する。【解決手段】Ｗｅｂサーバ1及び端末装置2との間で通信を行うための通信手段11と、Ｗｅｂサーバ1にアクセスし前記Ｗｅｂサーバに対してユーザにより指定されたＷｅｂ情報の転送要求を行う手段11と、Ｗｅｂサーバから転送されてきたＷｅｂ情報を受信して端末装置に送出する手段11と、Ｗｅｂ情報のＵＲＬと当該Ｗｅｂ情報に関する関連情報とを関連付けて記憶した情報記憶手段14と、Ｗｅｂサーバから転送されてきたＷｅｂ情報から当該Ｗｅｂ情報に含まれるＵＲＬを抽出するＵＲＬ抽出手段12と、抽出されたＵＲＬを用いて前記情報記憶手段を検索し対応する関連情報を取り出す情報検索手段13と、前記端末装置に送出すべきＷｅｂ情報に検索された関連情報を挿入し変換されたＷｅｂ情報を端末装置に転送する変換出力手段15とを具える。【選択図】図２
2005339376.tif 000002
【特許請求の範囲】
【請求項１】
Ｗｅｂサーバからネットワークを介して端末装置に送出される各種Ｗｅｂ情報に当該Ｗｅｂ情報と関連する関連情報を付加して端末装置に送信するＷｅｂ情報変換装置であって、
Ｗｅｂサーバ及び／又は端末装置との間で通信を行うための通信手段と、
Ｗｅｂサーバにアクセスし、前記Ｗｅｂサーバに対してユーザにより指定されたＷｅｂ情報の転送要求を行う手段と、
Ｗｅｂサーバから転送されてきたＷｅｂ情報を受け取る手段と、
Ｗｅｂ情報のＵＲＬと当該Ｗｅｂ情報に関する関連情報とを関連付けて記憶した情報記憶手段と、
前記Ｗｅｂサーバから転送されてきたＷｅｂ情報から、当該Ｗｅｂ情報に含まれるＵＲＬを抽出するＵＲＬ抽出手段と、
抽出されたＵＲＬを用いて前記情報記憶手段を検索し、対応する関連情報を取り出す情報検索手段と、
前記Ｗｅｂサーバから転送されてきたＷｅｂ情報に検索された関連情報を挿入し、関連情報が挿入されたＷｅｂ情報を端末装置に転送する変換出力手段とを具えることを特徴とするＷｅｂ情報変換装置。
【請求項２】
請求項１に記載のＷｅｂ情報変換装置において、前記変換出力手段は、端末装置のディスプレイ上において、Ｗｅｂ情報に含まれるリンク又はＵＲＬと検索された関連情報とが位置的に関連して表示されるように、前記Ｗｅｂ情報に関連情報を挿入することを特徴とするＷｅｂ情報変換装置。
【請求項３】
請求項２に記載のＷｅｂ条件変換装置において、前記変換出力手段は、前記検索された関連情報が端末装置のディスプレイ上において強調表示されるように当該関連情報を挿入することを特徴とするＷｅｂ情報変換装置。
【請求項４】
請求項１から３までのいずれか１項に記載のＷｅｂ情報変換装置において、前記変換出力手段は、検索結果として端末装置に送出すべきＷｅｂ情報中の、前記関連情報が取得されたＵＲＬが含まれるリンク、または、そのリンクが含まれる部分を消去するように、Ｗｅｂ情報を書き換えて端末装置に転送することを特徴とするＷｅｂ情報変換装置。
【請求項５】
請求項１から４までのいずれか１項に記載のＷｅｂ情報変換装置において、当該情報変換装置は前記端末装置に直接設置され、当該端末装置の情報入力手段を介してＷｅｂ情報のＵＲＬと関連情報とを対として情報記憶手段に入力することを特徴とするＷｅｂ情報変換装置。
【請求項６】
請求項１から４までのいずれか１項に記載のＷｅｂ情報変換装置において、当該情報変換装置は通信網を介して端末装置に接続され、Ｗｅｂ情報のＵＲＬと関連情報を端末装置の入力手段及び通信網を介して前記情報記憶手段に入力することを特徴とするＷｅｂ情報変換装置。
【請求項７】
請求項１から５までのいずれか１項に記載のＷｅｂ情報変換装置において、前記情報記憶手段は、ＵＲＬ及び利用者識別情報と関連情報とを対として記憶し、前記情報検索手段は、ＵＲＬ及び利用者識別情報を用いて情報記憶手段を検索することを特徴とするＷｅｂ情報変換装置。
【請求項８】
Ｗｅｂサーバからネットワークを介して端末装置に送出される各種Ｗｅｂ情報に当該Ｗｅｂ情報に関する関連情報を付加して端末装置に送信するＷｅｂ情報変換方法であって、
端末装置からユーザにより指定されたＷｅｂ情報の転送要求を受け取り、Ｗｅｂサーバにアクセスして前記Ｗｅｂサーバに対してユーザにより指定されたＷｅｂ情報の転送要求を行う工程と、
Ｗｅｂサーバから転送されてきたＷｅｂ情報を受信する工程と、
受信したＷｅｂ情報に含まれるＵＲＬを取り出す工程と、
取り出されたＷｅｂ情報のＵＲＬを用い、Ｗｅｂ情報のＵＲＬと当該Ｗｅｂ情報に関する関連情報とを関連付けて記憶した情報記憶手段を検索して、対応する関連情報を取り出す工程と、
前記端末装置に送出すべきＷｅｂ情報に検索された関連情報を挿入し、関連情報が挿入されたＷｅｂ情報を端末装置に転送する工程とを具えることを特徴とするＷｅｂ情報変換方法。
【請求項９】
Ｗｅｂサーバからネットワークを介して端末装置に送出される各種Ｗｅｂ情報に当該Ｗｅｂ情報に関する関連情報を付加して端末装置に送信するプログラムを記憶した記録媒体であって、
端末装置からユーザにより指定されたＷｅｂ情報の転送要求を受け取り、Ｗｅｂサーバにアクセスして前記ユーザにより指定されたＷｅｂ情報の転送要求を行う手順と、
Ｗｅｂサーバから転送されてきたＷｅｂ情報を受信する手順と、
受信したＷｅｂ情報に含まれるＵＲＬを取り出す手順と、
取り出されたＷｅｂ情報のＵＲＬを用い、Ｗｅｂ情報のＵＲＬと当該Ｗｅｂ情報に関する関連情報とを関連付けて記憶した情報記憶手段を検索して、対応する関連情報を取り出す手順と、
前記端末装置に送出すべきＷｅｂ情報に検索された関連情報を挿入し、関連情報が挿入されたＷｅｂ情報を端末装置に転送する手順とをコンピュータに実行させるためのプログラムを記録した記録媒体。
【発明の詳細な説明】
【技術分野】
【０００１】
本発明は、ＷｅｂサーバやＷｅｂサイトから供給される各種Ｗｅｂ情報に関連情報を付加して端末装置に送信するＷｅｂ情報変換装置及び方法に関するものである。
【背景技術】
【０００２】
従来、インターネットに接続されている端末装置を用い、Ｗｅｂブラウザを利用して各種のサイトやＷｅｂサーバから情報をダウンロードし、パソコンの表示画面上に表示することが行われている。この際、ブックマークを利用して、ＷｅｂサイトのＵＲＬとタイトルとをブラウザに登録することが広く行われている。ブックマークを利用する場合、利用者側においては、ダウンロードされる情報のＵＲＬに当該情報のタイトルや属性又はメモ等の関連情報を付加することを希望する場合も多く見受けられる。この際、例えばブックマーク管理ソフトで管理するブックマークのＵＲＬに対して、ブックマーク管理ソフトの機能を使用して付加的な情報をつける場合、その付加的な情報が表示される画面上の場所は、そのブックマーク管理ソフトの画面内に設定されている（非特許文献１，２参照）。
【０００３】
【非特許文献１】情報科学技術フォーラム（ＦＩＴ）２００３，２００３．９．１０−１２，  情報処理学会、電子情報通信学会共催 Ｄ−０２４ 森田哲之、他「３Ｄ空間表現を用いた個人データ管理システムの構築」
【非特許文献２】「ＵＲＬマネジャ」http://www.nori-s.net/soft/umn/features.htm
【発明の開示】
【発明が解決しようとする課題】
【０００４】
上述したように、インターネット上の場所を示すＵＲＬにより指定される各種Ｗｅｂ情報に対してコメントやメモなどの関連情報をつけた場合、これら関連情報が表示される場所は、Ｗｅｂブラウザで文書が表示される画面エリアとは別の場所にあったため、現在「Ｗｅｂブラウザが表示している文書」に含まれるリンクのＵＲＬに対して情報がついている場合でも、そのリンクの表示されている文書の画面とは位置的に無関係な表示のされ方であり、それらＵＲＬにどのような情報がついているかをすぐに知ることが困難であった。このため、Ｗｅｂブラウザが表示している文書にリンクが含まれる場合、それらのリンクのＵＲＬにつけられた情報を簡単に見ることができなかった。現在表示されているリンクの各ＵＲＬに情報がついているか否か、また、どのような情報がついているかを見るためには、各ＵＲＬと、保存されているブックマークのＵＲＬが一致するか否かを、人間が一つ一つブックマークについて確認し、一致していれば情報を読むという作業が必要であり、これを実行することは非常に困難であった。一方、ＵＲＬと関連情報とが一体的に表示されれば、インターネットの利用者の利便性を大幅に向上させることができる。特に、ユーザからＷｅｂサーバに対して転送要求がされた際、検索されたＷｅｂ情報に当該Ｗｅｂ情報のタイトルや属性等の関連情報が挿入されたＷｅｂ情報がユーザに転送されれば、ユーザの利便性を大幅に向上することができる。
【０００５】
従って、本発明の目的は、ＷｅｂサイトやＷｅｂサーバから供給される各種Ｗｅｂ情報に関連情報を付加して端末装置に送信できるＷｅｂ情報変換装置及び方法を提供することにある。
【課題を解決するための手段】
【０００６】
本発明による情報変換装置は、Ｗｅｂサーバからネットワークを介して端末装置に送出される各種Ｗｅｂ情報に当該Ｗｅｂ情報と関連する関連情報を付加して端末装置に送信するＷｅｂ情報変換装置であって、
Ｗｅｂサーバ及び／又は端末装置との間で通信を行うための通信手段と、
Ｗｅｂサーバにアクセスし、前記Ｗｅｂサーバに対してユーザにより指定されたＷｅｂ情報の転送要求を行う手段と、
Ｗｅｂサーバから転送されてきたＷｅｂ情報を受信する手段と、
Ｗｅｂ情報のＵＲＬと当該Ｗｅｂ情報に関する関連情報とを関連付けて記憶した情報記憶手段と、
前記Ｗｅｂサーバから転送されてきたＷｅｂ情報から、当該Ｗｅｂ情報に含まれるＵＲＬを抽出するＵＲＬ抽出手段と、
抽出されたＵＲＬを用いて前記情報記憶手段を検索し、対応する関連情報を取り出す情報検索手段と、
前記Ｗｅｂサーバから転送されてきたＷｅｂ情報に検索された関連情報を挿入し、関連情報が挿入されたＷｅｂ情報を端末装置に転送する変換出力手段とを具えることを特徴とする。
【０００７】
本発明による情報変換方法は、Ｗｅｂサーバからネットワークを介して端末装置に送出される各種Ｗｅｂ情報に当該Ｗｅｂ情報に関する関連情報を付加して端末装置に送信するＷｅｂ情報変換方法であって、
端末装置からユーザにより指定されたＷｅｂ情報の転送要求を受け取り、Ｗｅｂサーバにアクセスして前記Ｗｅｂサーバに対してユーザにより指定されたＷｅｂ情報の転送要求を行う工程と、
Ｗｅｂサーバから転送されてきたＷｅｂ情報を受信する工程と、
受信したＷｅｂ情報に含まれるＵＲＬを取り出す工程と、
取り出されたＷｅｂ情報のＵＲＬを用い、Ｗｅｂ情報のＵＲＬと当該Ｗｅｂ情報に関する関連情報とを関連付けて記憶した情報記憶手段を検索して、対応する関連情報を取り出す工程と、
前記端末装置に送出すべきＷｅｂ情報に検索された関連情報を挿入し、関連情報が挿入されたＷｅｂ情報を端末装置に転送する工程とを具えることを特徴とする。
【発明の効果】
【０００８】
本発明を用いることにより、Ｗｅｂブラウザが表示する文書に含まれるリンクのＵＲＬに対してつけられたＵＲＬ情報を、表示中の文書に挿入された形で、一覧的に、あるいは、ポップアップする形などとして見ることが可能となる。
また、例えば、無駄な情報のＵＲＬに対してその旨のＵＲＬ情報をつけておけば、そのＵＲＬのリンクを含む情報を省いた形でＷｅｂブラウザに表示することも可能となる。
また、インターネットの検索エンジンの出力に対して本発明を適用すれば、有用な、あるいは無用なインターネットの文書を見つけた際に、そのＵＲＬにあらかじめＵＲＬ情報をつけておくことにより、検索エンジンの検索結果の中で、有用な、あるいは無用な情報をすばやく判断することができる。また、無用な情報を省いて表示することも可能となる。
【発明を実施するための最良の形態】
【０００９】
図１は本発明によるＷｅｂ情報変換装置のネットワーク上の配置位置を示す線図である。ネットワーク上に各種Ｗｅｂ情報を送出するＷｅｂサーバないしＷｅｂサイト１が接続され、ユーザからの要求に応じてＷｅｂサーバ１からネットワークを介して端末装置２ａ〜２ｎにＷｅｂ情報を送出する。ネットワーク上のＷｅｂサーバ１と端末装置２との間に本発明によるＷｅｂ情報変換装置３を配置し、Ｗｅｂサーバ１から端末装置に向けて送信される各種Ｗｅｂ情報について関連情報を付加して端末装置に送出する。尚、Ｗｅｂ情報変換装置３は、Ｗｅｂサーバ若しくはＷｅｂサイト又は端末装置に直接設けることもでき、或いはネットワーク上に設けた１個又は複数個の第３のコンピュータに分散配置し或いはネットワーク上に配置したプロキクシサーバに設けることもできる。尚、各端末装置２ａ〜２ｎは、Ｗｅｂブラウザのような情報表示手段を有し、Ｗｅｂサーバから送出されてきたＷｅｂ情報をＷｅｂブラウザにより画面情報としてディスプレイ上に表示する。
【００１０】
例えば、Ｗｅｂ情報変換装置３が端末装置２に設置されている場合において、ユーザは、Ｗｅｂ情報の入手を希望する場合、端末装置２から希望するＷｅｂ情報のＵＲＬを端末装置に入力することによりアクセスする。このアクセスは、本発明によるＷｅｂ情報変換装置３を介してＷｅｂサーバ１に入力し、指定されたＷｅｂ情報がＷｅｂ情報変換装置３に送出され、Ｗｅｂ情報変換装置において必要な関連情報が付加されて端末装置２に転送され、Ｗｅｂブラウザによりディスプレイ上に表示される。
【００１１】
図２は本発明によるＷｅｂ情報変換装置の一例を示す。本例では、Ｗｅｂ情報変換装置３は、ネットワークを介して端末装置２及びＷｅｂサーバ３に接続されているものとする。ユーザからのＷｅｂ情報の入手のアクセスは、端末装置２を介してＷｅｂ情報変換装置３に入力する。このアクセスに応じて、Ｗｅｂ情報変換装置の送受信装置１１は、受け取ったＷｅｂ情報の転送要求をネットワークを介してＷｅｂサーバ１に送信する。Ｗｅｂサーバ１は、対応するＷｅｂ情報を検索してＷｅｂ情報変換装置３に返信する。Ｗｅｂサーバ１から送られてきたＷｅｂ情報は送受信装置１１により受信する。
【００１２】
Ｗｅｂ情報は、ＨＴＭＬ文書を含む各種のＷｅｂ情報とすることができ、受け取られたＨＴＭＬ文書はＵＲＬ抽出部１２に送出する。このＵＲＬ抽出部は、受信したＨＴＭＬ文書から、DOMなどを用いて、当該ＨＴＭＬ文書中に存在するリンクとリンク先のＵＲＬを抽出する。例えば、HTML Documentのall属性からノードを得て、そこからtag NameがＡのノードだけを抽出することによってリンクが抽出でき、更に、そのリンクのhref属性を得ることにより、当該ＨＴＭＬ文書のＵＲＬを取得することができる。尚、ＵＲＬ抽出部においてＵＲＬを抽出する際、文書によっては、抽出したＵＲＬがそのまま真のリンク先のＵＲＬを示しておらず、真のＵＲＬは抽出したＵＲＬ中に埋め込まれている場合がある。このような文書の場合、抽出したＵＲＬに対して文字列処理を施す等して真のＵＲＬを取り出すことができる。例えば、あるＷｅｂサイトの文書では、抽出したＵＲＬは、真のリンク先のＵＲＬに対してある特定のパターンの文字列が付加されているものと予め既知の場合、文書からＵＲＬを抽出する際に、そのようなサイトの文書であり、さらに、特定の文字列がＵＲＬに含まれている場合は、特定のパターンの文字列を除去して真のＵＲＬを取り出して使用する。
【００１３】
抽出されたＵＲＬは、検索手段として機能する情報検索部１３に送出する。この情報検索部１３は、ＵＲＬ抽出部１２によって抽出されたＵＲＬを用いて、情報記憶部１４に記憶されている中から、当該ＵＲＬに対応する関連情報を検索し、取得する。
【００１４】
情報記憶部１４では、Ｗｅｂサーバから端末装置に供給され、各種のＷｅｂ情報のＵＲＬとそれに対するメモ等の関連情報とを関連付け、例えば対の関係として記憶する。関連情報として扱える情報としては、リンク（ＵＲＬ）に対するコメント、そのＵＲＬのページを表示していた時間、そのＵＲＬがブックマークされているか否か、そのＵＲＬがブックマークされている場所、そのＵＲＬが何回見られたか、などの情報を単独で、あるいは組合せて扱うことができる。ページを表示していた時間であれば、何回かの履歴をとっておいても良い。更に、当該ＵＲＬが示す情報に関する属性、例えば、ＵＲＬが示す情報のタイトル情報、そのＵＲＬが示す情報の最終更新日や、そのＵＲＬが示す情報のサイズ、などをＵＲＬ情報として扱うこともできる。尚、情報記憶部１４は、ローカルのメモリやハードディスクなどに設けることができ、或いはネットワーク上の先のサーバに設けることもでき、また、ＵＲＬにより特定されるサーバそのものを情報記憶部１４として利用することもできる。尚、情報検索部１３も、情報記憶部１４と同様に、ローカルにあっても、ネットワークの先のサーバに設けることもできる。
【００１５】
情報検索部１３により検索された関連情報は、変換出力部１５に送出する。変換出力部１５では、ＵＲＬ抽出部１２で抽出したリンクの表示画面上における位置の近くに、情報検索部１３によって検索されたリンクのＵＲＬに対応するＵＲＬ情報を表示するように、検索されたＷｅｂ情報に関連情報を挿入する。尚、情報取得部における検索結果として、対応するＵＲＬ情報が取得できなかった場合は、ＵＲＬ情報の代わりに、ＵＲＬ情報が得られなかったということを表す情報を挿入することもできるし、何も情報を挿入しないこともできる。関連情報の具体的な表示方法として、リンクの前、あるいは、リンクの後ろに、関連情報を表示する文字列を属性表示する元の文書から変化させて、例えば、文字の色やバックグラウンドの色を回りと変えた形で挿入することにより、それが挿入されたＵＲＬ情報（関連情報）であることがわかりやすい形で、現在表示している文書の中に表示することができる。一例として、図３に、挿入するＨＴＭＬの例を示す。図中の「ＵＲＬ情報」という文字列の代わりに、実際のＵＲＬ情報を入れる。この例では、図４に示すように、「ＵＲＬ情報」という文字列は、文字のバックが赤、文字は白で強調表示される。このように、検索されたＵＲＬ情報を強調表示することにより、ユーザの利用性能を一層向上することができる。
【００１６】
これらの文字列の属性は表示される文書の色や背景などにあわせて変えても良い。またＵＲＬ情報を挿入する際に、ＨＴＭＬのＩＦＲＡＭＥなどのフレームを使用した形で挿入することにより、フレームの形で表示することも可能である。また、図５に一例として示すように、ｓｐａｎタグなどにｔｉｔｌｅ属性をつけたＨＴＭＬを挿入することにより、ＵＲＬ情報は普段は隠れているが、リンクの近くに挿入された文字列（図４の例の場合は「＋」の文字）のところにマウスが来たときにだけ、ＵＲＬ情報が現れるような挿入・表示の方法をとることもできる（図６参照）。
【００１７】
数値の情報を表示する場合は、数字として挿入しても良いし、グラフや図などのわかりやすい形に変換して挿入しても良い。グラフや図にする場合は、グラフや図の要素をあらかじめイメージとして持っておいて、それを組み合わせる方法や、ｊａｖａやｊａｖａｓｃｒｉｐｔなどのプログラムを使って表示する方法などがある。
【００１８】
また、前記変換出力部１５の処理において、得られたＵＲＬ情報の内容によって、ＵＲＬ抽出部１２で抽出したリンク、または、そのリンクが含まれる文書の部分を削除するように、ＵＲＬ情報を含むＨＴＭＬの要素を変更することができる。この場合、例えば、関連情報として、例えばコメントなどの形で、ＵＲＬ自体が無効であるという情報が得られた場合や、ＵＲＬが示す情報の価値が低い、といった情報が得られた場合に、変換出力部は該当するリンク、または、そのリンクが含まれる文書の全体又はその一部部分を削除することによって、無駄な情報を省いて画面表示することができる。この場合、削除すべきＷｅｂ情報の全部又は一部を端末装置に送出しないようにすることもできる。すなわち、変換出力手段は、検索結果として端末装置に送出すべきＷｅｂ情報中の前記関連情報が取得されたＵＲＬが含まれるリンク又はそのリンクが含まれる部分を消去するようにＷｅｂ情報を書き換えて端末装置に転送することができる。
【００１９】
Ｗｅｂ情報のＵＲＬと関連情報とを情報記憶部１４に入力するための入力手段である情報入力部１６を設けることができる。ここで、入力されたＵＲＬと関連情報は、共に情報記憶部１４へと送られて、情報記憶部１４においてＵＲＬと対応する関連情報とが互いに関連付けて記憶される。情報入力部１６において、ＵＲＬと関連情報とを対応付けないし入力する方法の例を以下に示す。関連情報はこれら単独又はこれらの組合せでも良い。
（１）関連情報が、そのＵＲＬへのコメントであれば、ユーザは、端末装置の情報入力手段であるキーボードを操作して、そのＵＲＬに対するコメントを入力して関連情報とすることにより、当該ＵＲＬと関連情報と対として入力することができる。
（２）関連情報が、そのＵＲＬに対する評価値であれば、端末装置のディスプレイが、あるＵＲＬを表示しているときに、そのＵＲＬに対する評価値をキーボードから入力し、あるいは、ボタンをマウスクリックすることなどにより数値化して、それを関連情報とすることにより、当該ＵＲＬと関連情報を入力する。
（３）関連情報が、そのＵＲＬが表示されていた時間であれば、端末装置のディスプレイにおいて画面を表示してから、表示が終了するまでの時間を計測し、その時間の情報を関連情報とすることにより、当該ＵＲＬと共に関連情報を得ることができる。
（４）関連情報が、そのＵＲＬで示される文書の最終更新日などの属性であれば、そのＵＲＬにアクセスして得た属性の情報を関連情報とすることにより、当該ＵＲＬと共に関連情報を得ることができる。
これらのように、関連情報は、ＵＲＬに関連付けることのできる情報であれば全ての情報を用いることができる。
【００２０】
次に、本発明の変形例について説明する。上述した実施例では、ユーザは端末装置を介してＷｅｂ情報の転送要求を行うに際し、ＵＲＬ入力することにより必要なＷｅｂ情報を指定したが、利用者の識別情報を併せて入力するシステムとすることもできる。すなわち、ユーザは、端末装置を介して所望のＷｅｂ情報のＵＲＬと当該ユーザの識別情報を併せて入力する。Ｗｅｂ情報変換装置３の送受信装置は、入力したユーザからの転送要求のうちＵＲＬ情報をＷｅｂサーバ１に転送してアクセスする。そして、Ｗｅｂサーバ１から送られてきたＷｅｂ情報のＵＲＬと当該ユーザの識別情報とを情報検索部分１３に送出する。情報記憶部１４には、Ｗｅｂ情報のＵＲＬ及びＵＲＬの識別情報と対応する関連情報とを対の関係として記憶する。情報検索部１３はユーザの識別情報とＵＲＬを用いて情報記憶部１４に対して検索し、対応する関連情報を取り出し変換出力部１５に転送する。このように構成することにより、利用者毎にＵＲＬと関連情報を管理することができ、利用者の利便性を一層向上することができる。
【図面の簡単な説明】
【００２１】
【図１】本発明によるＷｅｂ情報変換装置のネットワーク上の配置状態を示す線図である。
【図２】本発明によるＷｅｂ情報変換装置の一例を示す線図である。
【図３】挿入するＨＴＭＬの一例を示す線図である。
【図４】図３に示すＨＴＭＬの画面上の表示例を示す線図である。
【図５】挿入するＨＴＭＬの別の例を示す線図である。
【図６】画面上の表示例の変形例を示す線図である。
【符号の説明】
【００２２】
１  Ｗｅｂサーバ
２ａ〜２ｎ  端末装置
１１  送受信装置
１２  ＵＲＬ抽出部
１３  情報検索部
１４  情報記憶部
１５  変換出力部
１６  情報入力部
【図１】
2005339376.tif 000003
【図２】
2005339376.tif 000004
【図３】
2005339376.tif 000005
【図４】
2005339376.tif 000006
【図５】
2005339376.tif 000007
【図６】
2005339376.tif 000008